(57)【要約】【課題】圃場などの地面上において、雨水を避けながら多量の草塊を保管しようとする場合に、草塊の保管が容易かつ安価にできるようにする。【解決手段】草塊集合体のカバー装置は、草２によりそれぞれ所定形状の複数の草塊３が形成された後、地面１上に集合されたこれら草塊３の集合体４を、その外方から一体的に被覆可能とするものである。草塊集合体のカバー装置は、水平方向に長く延び、その長手方向に沿った視線で見た断面が倒立Ｕ字形状とされて集合体４をその上方から被覆するシート材製のカバー本体１３と、カバー本体１３の長手方向における一端部の開口１４を閉じる端部カバー体１５とを備える。カバー本体１３の上部１９を防水材により形成する一方、下部２１を通気性材により形成する。【選択図】図１
2010279323.tif 000002
【特許請求の範囲】
【請求項１】
草によりそれぞれ所定形状の複数の草塊が形成された後、地面上に集合されたこれら草塊の集合体を、その外方から一体的に被覆可能とする草塊集合体のカバー装置であって、
水平方向に長く延び、その長手方向に沿った視線で見た断面が倒立Ｕ字形状とされて上記集合体をその上方から被覆するシート材製のカバー本体と、このカバー本体の長手方向における一端部の開口を閉じる端部カバー体とを備え、上記カバー本体の上部を防水材により形成する一方、下部を通気性材により形成したことを特徴とする草塊集合体のカバー装置。
【請求項２】
上記カバー本体の上部側から垂下してこのカバー本体の下部をその外方から覆う防水カバーを設けたことを特徴とする請求項１に記載の草塊集合体のカバー装置。
【請求項３】
上記カバー本体の下端縁部に沿って延び、この下端縁部に着脱可能に取り付けられる長尺体を設けたことを特徴とする請求項１、もしくは２に記載の草塊集合体のカバー装置。
【発明の詳細な説明】
【技術分野】
【０００１】
本発明は、稲、麦藁、牧草、および雑草などの草により形成された草塊の集合体を地面上で一体的に被覆可能とする草塊集合体のカバー装置に関するものである。
【背景技術】
【０００２】
圃場や牧場などでは、稲、麦藁や牧草などの草が大量に発生する。そこで、近時、このような草をバイオマス資源としてバイオエタノールの生成などに有効活用することが提案されている。
【０００３】
一方、広い地面上に散在している草を集めると共に、その体積を小さくさせ、かつ、その後の取り扱いが容易にできるようにするため、地面上の草を拾い集めて、これを所定形状の草塊（ロールベール）にする農業機械（ロールベーラ）が下記特許文献１，２のように従来より用いられている。
【０００４】
ここで、前記したように草を有効活用しようとする場合、上記農業機械が用いられることがある。この場合、この農業機械によれば、まず、多数の草塊が次々と形成され、次に、このように形成された多数の草塊が、それぞれ地面上の所望位置にまで搬送されると共に、そこに集合させられて集合体とされる。そして、これら集合体とされた草塊が前記したように有効活用されるようになっている。
【先行技術文献】
【特許文献】
【０００５】
【特許文献１】特開２００５−２４５２７５号公報
【特許文献２】実開昭６１−６６４３０号公報
【発明の概要】
【発明が解決しようとする課題】
【０００６】
ところで、上記のように草塊により集合体が形成され、その後に、これら草塊が種々の目的に供されるまでの間は、乾燥のためや湿気による変質の防止のために、雨水を避けながら所定期間保管されるが、このような草塊の集合体の保管には、従来、別途準備された建屋が用いられている。しかし、草塊の量は多量であるため、これら草塊の全てを建屋により保管させようとすると、大きな容量の建屋を準備することが要求される。この結果、これら草塊の保管は極めて煩雑かつ高価になるという不都合がある。
【課題を解決するための手段】
【０００７】
本発明は、上記のような事情に注目してなされたもので、本発明の目的は、圃場などの地面上において、雨水を避けながら多量の草塊を保管しようとする場合に、これら草塊の保管が容易かつ安価にできるようにすることである。
【０００８】
請求項１の発明は、草２によりそれぞれ所定形状の複数の草塊３が形成された後、地面１上に集合されたこれら草塊３の集合体４を、その外方から一体的に被覆可能とする草塊集合体のカバー装置であって、
水平方向に長く延び、その長手方向に沿った視線で見た断面が倒立Ｕ字形状とされて上記集合体４をその上方から被覆するシート材製のカバー本体１３と、このカバー本体１３の長手方向における一端部の開口１４を閉じる端部カバー体１５とを備え、上記カバー本体１３の上部１９を防水材により形成する一方、下部２１を通気性材により形成したことを特徴とする草塊集合体のカバー装置である。
【０００９】
請求項２の発明は、上記カバー本体１３の上部１９側から垂下してこのカバー本体１３の下部２１をその外方から覆う防水カバー２９を設けたことを特徴とする請求項１に記載の草塊集合体のカバー装置である。
【００１０】
請求項３の発明は、上記カバー本体１３の下端縁部に沿って延び、この下端縁部に着脱可能に取り付けられる長尺体３８を設けたことを特徴とする請求項１、もしくは２に記載の草塊集合体のカバー装置である。
【００１１】
なお、この項において、上記各用語に付記した符号や図面番号は、本発明の技術的範囲を後述の「実施例」の項や図面の内容に限定解釈するものではない。
【発明の効果】
【００１２】
本発明による効果は、次の如くである。
【００１３】
請求項１の発明は、草によりそれぞれ所定形状の複数の草塊が形成された後、地面上に集合されたこれら草塊の集合体を、その外方から一体的に被覆可能とする草塊集合体のカバー装置であって、
水平方向に長く延び、その長手方向に沿った視線で見た断面が倒立Ｕ字形状とされて上記集合体をその上方から被覆するシート材製のカバー本体と、このカバー本体の長手方向における一端部の開口を閉じる端部カバー体とを備え、上記カバー本体の上部を防水材により形成する一方、下部を通気性材により形成している。
【００１４】
このため、地面上において、上記各草塊を保管する場合には、これら草塊を水平方向に長く延びるよう地面上に集合させ、その集合体を上記カバー装置で被覆すればよい。
【００１５】
この場合、上記集合体をその上方から上記カバー本体で被覆すると共に、上記集合体の長手方向における一端部を上記端部カバー体で被覆し、その一方、上記集合体の長手方向における他端部は、上記カバー本体の長手方向における他端部を上記集合体の他端部の面に対し折り畳むことにより被覆すればよい。よって、上記集合体の長さが一定しなくても、上記カバー装置によって上記集合体を全体的に隙間なく被覆することが容易にでき、つまり、上記各草塊の保管が容易にできる。
【００１６】
そして、上記のように集合体を上記カバー装置により被覆した場合には、上記カバー本体の上部の防水材により、上記集合体の防水ができると共に、上記カバー本体の下部の通気性材を通し、上記集合体において寸法が比較的短い幅方向で空気が容易に流通する。このため、上記集合体の各草塊を乾燥させて所望の干し草にしたり、各草塊の湿気による変質を防止したりすることができる。よって、上記集合体を収容する建屋を設けなくても、上記各草塊の適正な保管ができることから、これら各草塊の保管が、より容易かつ安価にできる。
【００１７】
請求項２の発明は、上記カバー本体の上部側から垂下してこのカバー本体の下部をその外方から覆う防水カバーを設けている。
【００１８】
このため、雨天時には、上記防水カバーによりカバー装置の防水性能が向上する一方、晴天時には、上記防水カバーを持ち上げて上記カバー本体の下部を外方に向けて開放してやれば、カバー装置内の通気性を、より向上させることができる。
【００１９】
請求項３の発明は、上記カバー本体の下端縁部に沿って延び、この下端縁部に着脱可能に取り付けられる長尺体を設けている。
【００２０】
このため、上記長尺体の剛性や自重により、上記カバー本体に全体的に適度の引張力を与えることができる。よって、上記カバー本体の見栄えが向上すると共に、このカバー本体が風などによりばたつくことが防止される。
【図面の簡単な説明】
【００２１】
【図１】草塊集合体のカバー装置の正面図である。
【図２】草塊集合体のカバー装置の側面部分破断図である。
【図３】草塊集合体のカバー装置の平面部分破断図である。
【図４】草塊集合体のカバー装置の部分斜視拡大図である。
【発明を実施するための形態】
【００２２】
本発明の草塊集合体のカバー装置に関し、圃場などの地面上において、雨水を避けながら多量の草塊を保管しようとする場合に、これら草塊の保管が容易かつ安価にできるようにする、という目的を実現するため、本発明を実施するための形態は、次の如くである。
【００２３】
即ち、草によりそれぞれ所定形状の複数の草塊が形成された後、地面上に集合されたこれら草塊の集合体を、その外方から一体的に被覆可能とする草塊集合体のカバー装置であって、
水平方向に長く延び、その長手方向に沿った視線で見た断面が倒立Ｕ字形状とされて上記集合体をその上方から被覆するシート材製のカバー本体と、このカバー本体の長手方向における一端部の開口を閉じる端部カバー体とを備える。上記カバー本体の上部が防水材により形成される一方、下部が通気性材により形成されている。
【実施例】
【００２４】
本発明をより詳細に説明するために、その実施例を添付の図に従って説明する。
【００２５】
図において、符号１は地面で、この地面１上に散在していた草２により、公知の農業機械によって、所定形状の複数の草塊３が形成される。また、これら草塊３は地面１上で集合させられて集合体４とされ、この集合体４を、地面１上で、その外方から一体的に被覆して雨水を避けるようにするカバー装置５が設けられている。
【００２６】
上記地面１は、田畑や農園を意味する圃場、牧場、および草原における地面などであり、舗装された面をも含む概念である。また、上記草２は、稲、麦藁や大豆の茎などの草、牧草、およびススキなどの雑草を含む。また、上記草塊３は、例えば、円柱形状をなし、１．２〜１．４ｍ直径で、１．２〜２．５ｍ長さ程度の大きさとされる。
【００２７】
上記集合体４は、地面１上に載置された通気性のある敷台８上に集積されている。この敷台８は、上記地面１に沿い水平な一方向Ａに向かって所定間隔を置き並設される複数の丸太製棒材９を備えている。
【００２８】
上記集合体４は、上記敷台８上で、上記一方向Ａに向かって列設された軸心１１が縦向きの二列の草塊３，３と、これら二列の草塊３，３上で上記一方向Ａに向かって列設された軸心１１が横向きの一列の草塊３とで形成されている。
【００２９】
上記カバー装置５は、上記一方向Ａに延び、その長手方向に沿った視線で見た（図１）断面が倒立Ｕ字形状とされて上記集合体４をその上方から被覆するシート材製のカバー本体１３と、このカバー本体１３の長手方向（一方向Ａ）における一端部の開口１４を閉じる端部カバー体１５とを備えている。また、上記カバー本体１３の長手方向（一方向Ａ）における他端部の開口１６は、端部カバー体を備えず、その開口のままとされており、上記カバー本体１３の内部を外方に向かって開放させている。
【００３０】
上記カバー本体１３と端部カバー体１５との各上部１９，２０はそれぞれ全体的に防水材により形成され、上記カバー本体１３と端部カバー体１５との各下部２１，２２はそれぞれほぼ全体がメッシュ製の通気性材により形成されている。上記カバー本体１３と端部カバー体１５との各上部１９，２０は互いに結合されて一体的に形成されている。一方、上記カバー本体１３と端部カバー体１５との各下部２１，２２は互いに別体とされている。
【００３１】
上記カバー本体１３の下部２１における上記一端部の開口１４の開口縁部と、上記端部カバー体１５の下部２２の外側縁部とにはそれぞれハトメである被連結体２４，２５が形成され、これら両被連結体２４，２５はロープなど連結具２６によって互いに着脱可能に連結されている。
【００３２】
上記カバー本体１３の上部１９側から垂下してこのカバー本体１３の下部２１の上部側をその外方から覆うシート材製の防水カバー２９が設けられている。
【００３３】
上記カバー本体１３と端部カバー体１５との各下部２１，２２には、上記一方向Ａで所定間隔を置いて縦向きの補強ベルト３１が取り付けられている。また、これら各補強ベルト３１の下端部を上記敷台８の各棒材９に連結させるバックル付の連結ベルト３２が設けられている。この場合、上記棒材９の端部を迂回するようにこの棒材９に上記連結ベルト３２を連結してもよく、この棒材９に打ち付けたステープルなどの金具３３に上記連結ベルト３２を連結してもよい。そして、上記連結ベルト３２による連結によれば、上記カバー本体１３と端部カバー体１５とに適度の引張力を与えることができて、風などによるばたつきの発生が防止される。
【００３４】
また、上記カバー本体１３と端部カバー体１５との各下端縁部３５，３６に沿ってそれぞれ延び、これら各下端縁部３５，３６にそれぞれ着脱可能に取り付けられる長尺体３８が設けられている。具体的には、上記各下端縁部３５，３６は袋縫い部とされている。一方、上記各長尺体３８，３９はそれぞれ剛性がある金属製パイプ材とされている。そして、これら長尺体３８，３９が上記下端縁部３５，３６に挿抜されることにより、これら下端縁部３５，３６に着脱されるようになっている。
【００３５】
上記防水カバー２９の上、下縁部にそれぞれハトメなどの被連結体４１，４２が設けられている。これら被連結体４１，４２は、不図示のロープなどの連結具により上記敷台８の棒材９など地面１側に連結される。そして、この連結により、上記カバー本体１３、端部カバー体１５、および防水カバー２９のそれぞれ上下方向の中途部に適度の引張力が与えられると共に、上記防水カバー２９の外方への張り出し角度が定められる。また、上記上、下被連結体４１，４２のうち、下側の被連結体４２を引き上げるようにして上記カバー本体１３の上部１９側に連結具などにより連結してやれば、上記カバー本体１３の下部２１を全体的に外方に開放させることができて、カバー装置５内の通気性が向上する。
【００３６】
その他、符号４４は上記カバー装置５の幅方向の中央部を示すセンターラインである。
【００３７】
上記構成によれば、カバー装置５は、水平方向に長く延び、その長手方向に沿った視線で見た断面が倒立Ｕ字形状とされて上記集合体４をその上方から被覆するシート材製のカバー本体１３と、このカバー本体１３の長手方向における一端部の開口１４を閉じる端部カバー体１５とを備え、上記カバー本体１３の上部１９を防水材により形成する一方、下部２１を通気性材により形成している。
【００３８】
このため、地面１上において、上記各草塊３を保管する場合には、これら草塊３を水平な一方向Ａに長く延びるよう、地面１上に図示の如くできるだけ整然と集合させ、その集合体４を上記カバー装置５で被覆すればよい。
【００３９】
この場合、上記集合体４をその上方から上記カバー本体１３で被覆すると共に、上記集合体４の長手方向における一端部を上記端部カバー体１５で被覆する。また、上記集合体４の長手方向における他端部は、上記カバー本体１３の長手方向における他端部（図２，３中二点鎖線）を上記集合体４の他端部の面に対し折り畳むことにより被覆（図２，３中実線）すればよい。よって、上記集合体４の長さが一定しなくても、上記カバー装置５によって上記集合体４を全体的に隙間なく被覆することが容易にでき、つまり、上記各草塊３の保管が容易にできる。
【００４０】
そして、上記のように集合体４を上記カバー装置５により被覆した場合には、上記カバー本体１３と端部カバー体１５との各上部１９，２０の防水材により、上記集合体４の防水ができると共に、上記カバー本体１３と端部カバー体１５との各下部２１，２２の通気性材を通し、上記集合体４において寸法が比較的短い幅方向で空気が容易に流通する。このため、上記集合体４の各草塊３を乾燥させて所望の干し草にしたり、各草塊３の湿気による変質を防止したりすることができる。よって、上記集合体４を収容する建屋を設けなくても、上記各草塊３の適正な保管ができることから、これら各草塊３の保管が、より容易かつ安価にできる。
【００４１】
なお、上記各下部２１，２２のそれぞれほぼ全体を通気性材にしてやれば、これら広い面積の通気性材を通し、上記カバー装置５内を空気がより円滑に流通することとなる。よって、上記集合体４の各草塊３の乾燥や変質防止が、より確実に達成される。
【００４２】
一方、上記カバー本体１３の長手方向の他端部の開口１６は、その開口のままとされている。
【００４３】
このため、上記集合体から上記カバー装置５を取り外すための取外作業をする場合には、まず、上記カバー本体１３の他端部の折り畳みを解除して、この他端部の開口１６を開放させる。次に、上記カバー本体１３の一端部側を上記集合体４から離れる上記一方向Ａに向かって引張Ｂしてやれば、上記カバー本体１３は、上記集合体４の上面を摺動して、この集合体４から容易に離脱させることができる。つまり、上記集合体４からの上記カバー装置５の取外作業が容易にできる。
【００４４】
また、前記したように、カバー本体１３の上部１９側から垂下してこのカバー本体１３の下部２１をその外方から覆う防水カバー２９を設けている。
【００４５】
このため、雨天時には、上記防水カバー２９によりカバー装置５の防水性能が向上する一方、晴天時には、上記防水カバー２９を持ち上げて上記カバー本体１３の下部２１を外方に向けて開放してやれば、カバー装置５内の通気性を、より向上させることができる。
【００４６】
また、前記したように、カバー本体１３の下端縁部に沿って延び、この下端縁部に着脱可能に取り付けられる長尺体３８を設けている。
【００４７】
このため、上記長尺体３８の剛性や自重により、上記カバー本体１３に全体的に適度の引張力を与えることができる。よって、上記カバー本体１３の見栄えが向上すると共に、このカバー本体１３が風などによりばたつくことが防止される。
【００４８】
なお、以上は図示の例によるが、上記端部カバー体１５はこれのほぼ全体を防水材により形成してもよい。また、上記他端部の開口１６を閉じるように上記端部カバー体１５と同構成のものを設けてもよい。また、上記カバー本体１３と端部カバー体１５との各下部２１，２２は、それぞれ少なくとも一部が通気性材により形成されておればよいが、図例のように、ほぼ全体が通気性材により形成されていることがより好ましい。また、上記端部カバー体１５に上記防水カバー２９を設けてもよい。
【符号の説明】
【００４９】
１    地面
２    草
３    草塊
４    集合体
５    カバー装置
１３  カバー本体
１４  一端部の開口
１５  端部カバー体
１６  他端部の開口
１９  上部
２０  上部
２１  下部
２２  下部
２９  防水カバー
３５  下端縁部
３６  下端縁部
３８  長尺体
３９  長尺体
Ａ    一方向
【図１】
2010279323.tif 000003
【図２】
2010279323.tif 000004
【図３】
2010279323.tif 000005
【図４】
2010279323.tif 000006